(57)【要約】本発明のカメラは、フィルムカセット区画室と、フィルムスプールと、フィルム露出領域と、露出済みのフィルムがフィルムカセットから移動するのを阻止するインターロック装置とを有している。このカメラにより、フィルムカセットはフィルムカセット区画室内に装填される。次に、フィルムをフィルム露出領域を亙ってフィルムカセット区画室から移動させ且つ露出すべきフィルムの最初のフレームを除くフィルムの全てをフィルムスプールの周りに巻くことによりフィルムを配置する。写真を撮った後、露出済みのフィルムをフィルムカセット内に巻き戻し、露出すべきフィルムの次のフレームをフィルム露出領域内に移動させる。インターロック装置は、露出済みのフィルムをフィルム露出領域外に移動させるのを阻止する。１つの実施の形態において、インターロック装置は、フィルム巻き戻しホイールの鋸歯状部分と係合しフィルム巻き戻しホイールの移動を阻止することのできるレバーを備えている。
2004507776.tif 000002
【特許請求の範囲】
【請求項１】
フィルムカセットを受け入れるフィルムカセット区画室と、フィルムを巻くことのできるフィルムスプールと、フィルムカセット区画室とフィルムスプールとの間に配置されたフィルム露出領域とを有する型式のカメラにおいて、
カメラに回転可能に取り付けられ且つ巻き戻し方向に回転してフィルムをフィルムスプールからフィルムカセットまで移動させることのでき、しかも鋸歯状リング及び切欠きを有するフィルム巻き戻しホイールと、
カメラに回転可能に取り付けられ、フィルム巻き戻しホイールリングの鋸歯状部分と係合可能な一端を有する阻止レバーと、
阻止レバーに接続されたばねと、
カメラに摺動可能に取り付けられ且つばねに接続されたレバーであって、フィルム巻き戻しホイールの内側リングの切欠きと係合可能な鉤状部（ｈｏｏｋ）を有し、フィルム巻き戻しホイールが巻き戻し方向に回転されたとき、切欠きがレバー鉤状部に係合し且つレバー及びばねを第一の方向に押し、ばねの動きにより阻止レバーが回転し、阻止レバーの端部が巻き戻しホイールの鋸歯状部分と係合し、巻き戻しホイールが、フィルム巻き戻し方向と反対で且つフィルムをフィルムカセット外に移動させる方向に向けて回転するのを阻止するようにした前記レバーとを備える、カメラ。
【請求項２】
請求項１のカメラにおいて、
内方に伸びる突出部を有する裏蓋を更に備え、ばねが移動するとき、ばねの一端が突出部に対して移動し、突出部がばね及びレバーが第一の方向と反対の方向に移動するのを阻止するように、突出部が配置された、カメラ。
【請求項３】
請求項１のカメラにおいて、
カメラが３５ｍｍフィルムを採用する型式のものである、カメラ。
【請求項４】
請求項１のカメラにおいて、
阻止レバーが阻止レバーからばねの開口部内に伸びるポストによってばねに接続される、カメラ。
【請求項５】
請求項１のカメラにおいて、
カメラに回転可能に取り付けられ且つ切欠きに係合してフィルムがフィルムカセットからフィルムスプールに移動される迄、巻き戻しホイールが巻き戻し方向に移動するのを阻止するインターロックレバーを更に備える、カメラ。
【請求項６】
請求項５のカメラにおいて、
カメラに回転可能に取り付けられ且つフィルムの穴に係合する歯を有するスプロケットと、
カメラに回転可能に取り付けられたカムであって、このカムは、該カムが回転するときインターロックレバーに係合し、これによりフィルムがフィルムカセットから前進するとき、フィルムの移動によりスプロケットが回転し、これによりカムが回転するようにする前記カムとを更に備え、該カムが、その回転中、インターロックレバーに接触してインターロックレバーを切欠に対して係合外れ状態となるように押し、これにより巻き戻しホイールが巻き戻し方向に回転するのを許容するようにした、カメラ。
【請求項７】
請求項６のカメラにおいて、
カメラに回転可能に取り付けられたカウントホイール（ｃｏｕｎｔｉｎｇ　ｗｈｅｅｌ）であって、スプロケットの回転によりカウントホイールが回転するようにスプロケットに接続された前記カウントホイールを更に備える、カメラ。
【請求項８】
請求項６のカメラにおいて、
回転可能な部材と、
内方に伸びる突出部を有する裏蓋とを更に備え、
裏蓋が閉じられたとき、裏蓋が回転可能な部材に接触し且つ回転可能な部材が回転し、インターロックレバーに接触するようにし、インターロックレバーを回転させフィルム巻き戻しホイールの切欠きと係合するようにした、カメラ。
【請求項９】
フィルムカセットを受け入れるフィルムカセット区画室と、フィルムを巻くことのできるフィルムスプールと、フィルムカセット区画室とフィルムスプールとの間に配置されたフィルム露出領域とを有する型式のカメラにおいて、
第一及び第二の方向に回転可能であり、また、鋸歯付きの内側リング及び切欠きを有するフィルム巻き戻しホイールと、
フィルムホイールの鋸歯状部分と係合して巻き戻しホイールが第一の方向に移動するのを阻止する第一のレバーと、
第一のレバーに機械的に接続され且つ内側リングが回転するとき切欠きが係合可能な第二のレバーであって、巻き戻しホイールが第二の方向に回転したとき、切欠きが該第二のレバーに係合し且つ該第二のレバーを移動させるようにした前記第二のレバーとを備え、
第二のレバーの移動が第一のレバーを移動させてフィルムホイールの鋸歯状部分と係合させ、これによりフィルムホイールが第一の方向に移動するのを阻止するようにした、カメラ。
【請求項１０】
請求項９のカメラにおいて、
第二のレバーを第一のレバーに機械的に接続するばねを更に備える、カメラ。
【請求項１１】
請求項１０のカメラにおいて、
ばねがアイ部（ｅｙｅ）を備え、
第二のレバーが該アイ部内に配置されたポストを備える、カメラ。
【請求項１２】
請求項１１のカメラにおいて、
第二の方向がフィルムの巻き戻し方向であり、ホイールが第二の方向に回転されたとき、フィルムがカセット内に巻き戻されるようにした、カメラ。
【請求項１３】
請求項１０のカメラにおいて、
内方に伸びる突出部を有する裏蓋を更に備え、
ばねが移動するときばねの一端が突出部に対して移動し、突出部がばね及び第二のレバーが第一の方向と反対の方向に移動するのを阻止するように、突出部が配置される、カメラ。
【請求項１４】
請求項９のカメラにおいて、
カメラに回転可能に取り付けられ且つ切欠きに係合してフィルムがフィルムカセットから押しだされる迄、巻き戻しホイールが第一の方向に回転するのを阻止する第三のレバーを更に備える、カメラ。
【請求項１５】
請求項１４のカメラにおいて、
カメラに回転可能に取り付けられ且つフィルムの穴に係合する歯を有するスプロケットと、
カメラに回転可能に取り付けられ且つカムが回転するとき第三のレバーに係合するカムであって、これによりフィルムがフィルムカセットから前進されたとき、フィルムの動きがスプロケットを回転させ、これによりカムが回転されるようにした前記カムとを更に備え、
該カムが、その回転中、第三のレバーに接触して押すことにより第三のレバーを切欠きと係合外れ状態とせしめ、これにより巻き戻しホイールが第一の方向に回転するのを許容するようにした、カメラ。
【請求項１６】
請求項１５のカメラにおいて、
カメラに回転可能に取り付けられ且つスプロケットに接続されたカウントホイールであって、スプロケットの回転により回転される前記カウントホイールを更に備える、カメラ。
【請求項１７】
請求項１６のカメラにおいて、
回転可能な部材と、
内方に伸びる突出部を有する裏蓋とを更に備え、
裏蓋が閉じられたとき、裏蓋が回転可能な部材に接触し且つ回転可能な部材を回転させてフィルム巻き戻しホイールの切欠きと係合するようにした、カメラ。
【請求項１８】
フィルムカセットを受け入れるフィルムカセット区画室と、フィルムを巻くことのできるフィルムスプールと、フィルムカセット区画室とフィルムスプールとの間に配置されたフィルム露出領域とを備える型式のカメラにおいて、
第一及び第二の方向に回転可能であり、鋸歯付き内側リング及び切欠きを有し、巻き戻しホイールが回転するとき、切欠きが経路内を移動するようにしたフィルム巻き戻しホイールと、
カメラに回転可能に取り付けられ、切欠きに係合してフィルム巻き戻しホイールが第二の方向に回転するのを阻止するインターロックレバーと、
伸びる突出部を有する裏蓋であって、裏蓋が閉じられたとき、裏蓋の突出部がインターロックレバーを切欠きの経路内に移動させ、これにより巻き戻しホイールが巻き戻し方向に移動するのを阻止するようにした前記裏蓋とを備える、カメラ。
【請求項１９】
請求項１８のカメラにおいて、
フィルムスプールに接続されて、フィルムスプールを回転させるよう回転可能である前記レバーであって、これによりフィルムをフィルムカセットからフィルムスプールまで移動させ得る前記前進レバーを更に備える、カメラ。
【請求項２０】
請求項１９のカメラにおいて、
巻き戻しホイールが第一の方向に回転したとき回転し得るように機械的に接続された回転可能なカムを更に備え、巻き戻しホイールが第一の方向に回転されたとき、該カムが、インターロックレバーに接触し且つインターロックレバーを回転させてインターロックレバーを切欠きから非係合状態にし、これにより巻き戻しホイールが第二の方向に回転するのを許容し得るようにした、カメラ。
【請求項２１】
請求項２０のカメラにおいて、
カメラに回転可能に取り付けられ且つフィルムの穴と係合する歯を有するスプロケットを更に備え、フィルムの移動が歯を押してスプロケットを回転させ、スプロケットがカムに接続され、スプロケットの回転によりカムが駆動されて回転するようにした、カメラ。
【請求項２２】
請求項２１のカメラにおいて、
スプロケットに接続され且つ取り付けられたカウントホイールであって、スプロケットにより駆動されて回転する前記カウントホイールを更に備える、カメラ。
【請求項２３】
請求項１８のカメラにおいて、
フィルムホイールの鋸歯状部分と係合して巻き戻しホイールが第一の方向に移動するのを阻止する第一のレバーと、
第一のレバーに機械的に接続され、内側リングが回転するとき切欠きが係合可能である第二のレバーとを更に備え、巻き戻しホイールが第二の方向に回転したとき、切欠きが第二のレバーに係合し且つ該第二のレバーを移動させ、第二のレバーの移動が第一のレバーを移動させてフィルムホイールの鋸歯状部分と係合させ、これによりフィルムホイールが第一の方向に移動するのを阻止するようにした、カメラ。
【請求項２４】
請求項２３のカメラにおいて、第二のレバーを第一のレバーに機械的に接続するばねを更に備える、カメラ。
【請求項２５】
フィルムカセットを受け入れるフィルムカセット区画室と、フィルムスプールと、フィルムカセット区画室とフィルムスプールとの間に配置されたフィルム露出領域とを有する型式のカメラ内にフィルムを装填する方法において、
フィルムカセットから伸びるフィルムリーダ（ｆｉｉｍ　ｌｅａｄｅｒ）をフィルムスプールに巻き且つフィルムリーダの残りの部分をフィルム露出領域内に配置することと、
カメラの裏蓋を閉じ、これにより裏蓋から伸びる突出部を第一のレバーと係合させ、第一のレバーを押して第二のレバーを回転させ且つ駆動してフィルム巻き戻しホイールの切欠きの経路内に回転させ、このことが、フィルムをフィルムカセットに向けて移動させる方向に向けてフィルム巻き戻しホイールが回転するのを阻止するようにすることとを備える、方法。
【請求項２６】
請求項２５の方法において、
フィルムスプールに接続されたフィルム前進レバーを回転させて、フィルムスプールを回転させ且つフィルムをフィルムスプールの周りに巻いてこれによりカメラを予備装填（ｐｒｅｌｏａｄ）することを更に備える、方法。
【請求項２７】
請求項２６の方法において、
フィルム前進レバーの回転によるフィルムの移動がフィルムの穴内に伸びるスプロケットを回転させ、
スプロケットの回転が第二のレバーを回転させて切欠きの経路外にさせ、これにより巻き戻しホイールを巻き戻し方向に回転させることができるようにする、方法。
【請求項２８】
フィルムカセットを受け入れるフィルムカセット区画室と、フィルムスプールと、フィルムカセット区画室とフィルムスプールとの間に配置されたフィルム露出領域とを有する型式のカメラを操作する方法において、
フィルムをフィルムスプールの周りに巻くことによりカメラにフィルムを予備装填することと、
フィルムのフレームをフィルム露出領域内で露出させることによりカメラにより写真を撮ることと、
フィルムカセット区画室内に配置されたフィルムカセットの回転軸に接続されたフィルム巻き戻しホイールを巻き戻し方向に回転させてフィルムのフレームをフィルムカセット内に移動させ、フィルム巻き戻しホイールが第一のレバーに接触し、該ホイールの回転により第一のレバーを押し、
第一のレバーの移動により第二のレバーが移動してフィルム巻き戻しホイールの鋸歯状部分と係合し、巻き戻し方向と反対方向にフィルム巻き戻しホイールが回転するのを阻止し、これによりカメラのユーザが巻き戻し方向と反対の方向にフィルム巻き戻しホイールを回転させ且つフィルムをフィルムカセット外に移動させるのを阻止するようにすることとを備える、方法。
【発明の詳細な説明】
【０００１】
【発明の分野】
本発明は、フィルムカセットへ且つフィルムカセットからのフィルムの移動が望まれないとき、かかるフィルムの移動を阻止するインターロック装置を有する写真撮影カメラに関する。
【０００２】
【発明の背景】
従来から、カメラのユーザは、フィルムカセットをフィルムカセットチャンバ内に挿入し且つフィルムのリーダである、フィルムの僅かな部分をフィルムの露出領域を亙ってフィルムスプールまで移動させることによりフィルムを写真撮影カメラ内に充填する。写真を撮った後、カメラのユーザは、露出済みのフィルムをフィルムスプールの周りに巻き且つ露出させるべきフィルムの次のフレームをフィルム露出領域内に移動させる。
【０００３】
比較的最近、フィルムを装填し、フィルムを予装填し又はフィルムをプレワインドする新しい方法が開発されている。フィルムをプレワインドすることは、フィルムカセットをフィルムカセット区画室内に挿入し且つフィルムをカメラの両側部にてフィルムスプールの周りにプレワインドすることを含む。写真を撮った後、露出済みのフィルムをフィルムカセットに巻き戻し、フィルムの次のフレームをフィルム露出領域に移動させる。従来の方法と相違して、フィルムの最後のフレームが露出された後、フィルムをフィルムスプールの周りに巻くのと異なり、フィルムカセット内に巻き戻す。このように、プレワインドすることは、写真を撮った後、フィルムをフィルムカセット内に巻き戻すことを不要にする。プレワインドすることの１つの有利な点は、露出済みのフィルムが光密のフィルムカセット内に収容され且つカメラを開けることにより偶発的に露出されない点である。
【０００４】
かかるカメラにより生じる１つの問題点は、カメラがフィルムカセットのフィルム回転軸を回転させる機構と、フィルムスプールを回転させる別個の機構とを有するならば、カメラのユーザは、その機構の一方を誤って操作し、フィルムを誤った方向に移動させる可能性がある点である。新しい方法により生じている別の問題点は、カメラのユーザが誤ってそれ以前の露出済みのフィルムをフィルムカセットからフィルム露出領域まで移動させ、その露出済みのフィルムを再露出させる可能性がある点である。更に別の問題点は、カメラのユーザがフィルムをフィルムスプールの周りに適正にプレワインドすることができない点である。これらの問題点は、「１回限り使用」カメラを含む、手動のフィルムカメラにて特に顕著である。本発明のカメラは、フィルムを望まない方向に移動させるのを阻止するインターロック装置を備えている。
【０００５】
本明細書で使用するように、前進又は前進方向という用語は、フィルムがフィルムカセット外に又はフィルムカセットから離れるように移動することを指し、巻き戻し又は巻き戻し方向という用語は、フィルムがフィルムカセット内に又はフィルムカセットに向けて移動することを指す。
【０００６】
【発明の概要】
本発明のカメラは、前進インターロック装置又は巻き戻しインターロック装置の何れか一方又はその双方の２つのインターロック装置の１つを含む。カメラは、フィルムカセット区画室と、フィルムスプールと、フィルムカセット区画室とフィルムスプールとの間に配置されたフィルム露出領域とを備えている。カメラは、フィルムカセットがフィルムカセット区画室内に挿入されたとき、フィルムカセットの回転軸に接続されるフィルム巻き戻しホイールを有している。カメラのユーザが巻き戻しホイールを回すと、フィルムカセットの回転軸が回転し、フィルムをフィルムカセット内に又はフィルムカセット外の何れかに移動させる。カメラは、また、フィルムスプールに接続されたフィルム前進レバーも有している。フィルム前進レバーによってフィルムスプールを回転させると、フィルムはフィルムスプールの周りにて又はフィルムスプールから離れる方向の何れかに移動する。
【０００７】
カメラは、３５ｍｍフィルムを使用することが好ましい。フィルムをカメラに予備装填することは、フィルムカセットをフィルムカセット区画室内に挿入することと、フィルムリーダをフィルム露出領域内に且つフィルムスプールの周りに配置することと、カメラを光封止することとを含む。予備装填することは、前進レバーを回転させることにより、フィルムをフィルム露出領域を亙って且つフィルムスプールの周りにてフィルムカセットから移動させることを更に含む。カメラで写真を撮るとき、フィルムを露出させ、巻き戻しホイールを回転させて露出済みのフィルムをフィルムカセット内に戻す。この写真を撮り且つ露出済みのフレームを巻き戻す手順は、フィルムの全てが露出され且つフィルムカセット内に巻き戻される迄、繰り返す。
【０００８】
フィルム前進インターロック装置は、カメラのユーザが誤ってフィルムの巻き戻しホイールを前進方向に操作し又はフィルムをフィルムカセットから離れるように移動させるのを阻止する。このことは、カメラのユーザが巻き戻しホイールを前進方向に回転させようとする不適切な試みを阻止するために必要とされる。フィルム前進インターロック装置が無いならば、カメラのユーザは、写真を撮った後、露出済みのフィルムをフィルムカセット外に移動させようとして巻き戻しホイールを前進方向に回すことができよう。かかる不適切な回転は、フィルムをフィルムカセット外から前進方向に移動させ又はフィルムを全く移動させないであろう。このように、フィルム前進インターロック装置は、カメラのユーザが巻き戻しホイールを前進方向に回し、これにより、露出済みのフィルムをフィルムカセット内に移動させ且つ露出すべきフィルムの次のフレームをフィルムの露出領域に移動させたと自分自身、錯覚してしまう。
【０００９】
フィルム前進インターロック装置は、フィルム巻き戻しホイールと、阻止レバーと、制御レバーとを有している。フィルム巻き戻しホイールは、鋸歯付きの内側リングと、切欠きとを有している。リング及び切欠きは、巻き戻しホイールと共に回転する。阻止レバーは、フィルムホイールの鋸歯状部分と係合して巻き戻しホイールが前進方向に動くのを阻止する。フィルムを予備装填した後で且つ巻き戻しホイールを巻き戻し方向に操作する前、阻止レバーは鋸歯状部分と係合していない。制御レバーは、阻止レバーに機械的に接続され且つ切欠きの経路内に配置されている。写真を撮った後、巻き戻しホイールを巻き戻し方向に回すと、ホイールの切欠きが制御レバーに係合し且つ制御レバーを移動させる。制御レバーが移動すると、制御レバーは、阻止レバーを移動させてフィルムホイールの鋸歯状部分と係合させる。この係合は、フィルムホイールが前進方向に動くのを阻止する。このように、操作者は、巻き戻しホイールを前進方向に動かそうと不適切に試み、また、操作者がホイールを巻き戻し方向に回そうとするとき、露出済みのフィルムをフィルムカセット外に動かすのが阻止される。
【００１０】
フィルム前進インターロック装置は、制御レバーを阻止レバーに接続するばねも備えることができる。カメラの裏蓋から伸びる突出部は、ばね、制御レバー及び阻止レバーをその相互係止位置に保持することができる。制御レバーによって動かす前、ばねは突出部の後方に配置されていない。制御レバーが移動した後、ばねは、突出部の後方に配置されるように移動する。このことは、ばね、制御レバー、及び阻止レバーがその最初の位置に戻るのを阻止する。
【００１１】
前進インターロック装置は不作動とされ、制御レバーのばね、及び阻止レバーは、カメラの裏蓋を開けることで再設定される。フィルムの全てが露出され、また、フィルムを除去すべく裏蓋を開けた後、ばねは、最早、突出部によって拘束されない。このため、ばね、制御レバー及び阻止レバーは、その最初の位置に戻る。別のばね、すなわち偏倚ばねを使用してレバーをその最初の位置に偏倚させることができる。
【００１２】
巻き戻しインターロック装置は、フィルムの巻き戻しホイールと、インターロックレバーと、裏蓋とを有している。上述したように、巻き戻しホイールは、巻き戻しホイールが回転するとき経路内を移動する切欠きを有している。インターロックレバーは、カメラに回転可能に取り付けられ、該レバーは切欠きの経路内且つ切欠きの経路外に回転することができる。切欠きの経路内にあるとき、インターロックレバーがフィルムの巻き戻しホイールが巻き戻し方向に回転するのを阻止する。裏蓋は、裏蓋を閉じたとき、インターロックレバーを切欠きの経路内に移動させる、該カバーから伸びる突出部を有し、これにより巻き戻しホイールが巻き戻し方向に動くのを阻止する。このように、カメラの裏蓋を閉じたとき、巻き戻しインターロック装置が設定され、このことは、フィルムカセットを挿入し、フィルムリーダをフィルムスプールの周りに配置した後であるが、フィルムをフィルムカセットからフィルムスプールまで移動させることによりフィルムを予備装填した後である。この巻き戻しインターロック装置は、フィルムを予備装填すべきとき、カメラのユーザが巻き戻しホイールを巻き戻し方向に使用しようと不適切に試みることを阻止する。
【００１３】
巻き戻しインターロック装置は、再設定レバーを更に有することができる。再設定レバーは、裏蓋が閉じたとき、裏蓋から伸びる突出部が再設定レバーに接触し且つ再設定レバーを移動させるような位置に配置されている。再設定レバーが移動すると、再設定レバーはインターロックレバーを押してインターロックレバーを切欠きの経路内に動かす。
【００１４】
インターロックレバーはまた、制御レバーに接続し、インターロックレバーが切欠きの経路内に移動するとき、該レバーが制御レバーに係合して制御レバー及び阻止レバーの移動を阻止するようにすることもできる。
【００１５】
巻き戻しインターロック装置は、フィルムを予備装填する操作の間、再設定することができる。巻き戻しインターロック装置を再設定するため、カメラはフィルムの穴が係合するスプロケットを有することができる。スプロケットは、フィルムがフィルムの露出領域を亙って移動することによって回転する。スプロケットは、カムに機械的に接続されている。該カムは、該カムが回転するとき、カムがインターロックレバーに接触し且つインターロックレバーを切欠きの経路外に回転させ且つこれにより巻き戻しインターロック装置を不作動にするような位置に配置されている。このことはまたインターロックレバーの回転がインターロックレバーを制御レバーから非係合状態にするため、前進インターロック装置を作動可能にし、制御レバーを上述したように移動させて前進インターロック装置を設定することができる。
【００１６】
作動時、スプロケットは、フィルムを予備装填すること−フィルムをフィルムカセットからフィルムスプールまで移動させることにより回転し、このことはカムを回転させる。予め設定した量のフィルム、好ましくは約６回の露出分が予備装填された後、カムはインターロックレバーに接触してインターロックレバーを回転させ且つ巻き戻しインターロック装置を不作動にする。
【００１７】
本明細書に開示された本発明はまた、巻き戻しインターロック装置を使用することによりフィルムを予備装填する方法及びカメラを前進インターロック装置により作動させる方法も含む。
【００１８】
本発明のその他の特徴は、以下に説明する。
【００１９】
【好ましい実施の形態の詳細な説明】
本発明のカメラ１０は、３５ｍｍフィルムを採用する型式のものであることが好ましい。カメラ１０は、再使用型又は１回使用を目的とする型式の何れかの手動カメラであることも好ましいが、必ずしもそうである必要はない。このような１回限り使用カメラは、フィルムが予備装填された状態で販売され、フィルムカセットがカメラ内に包み込まれた状態でフィルムの現像店に戻すことを意図するものである。次に、フィルムの現像店がフィルムカセットをカメラから取り外す。しかし、カメラのユーザは、フィルムをこれらのいわゆる１回限り使用カメラから除去し且つそのカメラにフィルムを再装填することができる。
【００２０】
図１には、前蓋及び頂部が除去された又は切欠いたカメラ１０の一部分の斜視図が図示されている。本発明のカメラ１０は、フィルムカセット区画室１１と、フィルム露出領域１２と、フィルムスプール１３とを有しており、これらは図３及び図４に概略図的に図示されている。図３及び図４は、裏蓋１４が除去され、カメラの頂部分を切欠いた、カメラ１０の部分概略図である。フィルムスプール１３は、フィルムカセット区画室１１の反対側のカメラの側部に配置されている。フィルム露出領域１２がフィルムカセット区画室１１とフィルムスプール１３との間に配置されている。図３には、フィルムカセット及びフィルムが無いカメラが図示されている。図４には、フィルムカセット２がフィルムカセット区画室１１内に挿入され、フィルム４がフィルムスプール１３の周りに巻かれ且つ露出領域１２内に配置された状態で予備装填されたカメラ１０が図示されている。図４にはまた、フィルムの穴６も図示されている。
【００２１】
図２に最も良く図示した裏蓋１４は、図１、図２、図６及び図７を参照することにより最も良く理解されるように、ヒンジ１４ａによりカメラ１０にヒンジ止めされ且つフィルムカセット区画室１１と、フィルム露出領域１２と、フィルムスプール１３とを覆う。複数の突出部１６、１８、２０が裏蓋１４から伸びている。これらの突出部１６、１８、２０は、カメラ１０の部品と協働して制御レバー４４及び再設定レバー６０を含む色々なカメラのレバーを作動させる。
【００２２】
フィルムを移動させるため、カメラは図１及び図２に図示した巻き戻しホイール２２と、図５の部分斜視図に図示した前進レバー２３とを有することができる。親指操作ホイールであることが好ましいフィルム巻き戻しホイール２２がフィルムカセット区画室１１の上方に配置されている。巻き戻しホイール２２は、図３に図示するように、フィルムカセット区画室１１内に伸びる回転軸２４を有している。フィルムカセット区画室１１内に挿入されたとき、フィルムカセット回転軸は、巻き戻しホイール２２の回転軸２４に接続される。カメラのユーザが巻き戻しホイール２２を図６乃至図８に図示するように、反時計回り方向に回転させたとき、フィルムカセット回転軸２４は回転し、フィルムはフィルムカセット内に引き込まれる。
【００２３】
フィルム巻き戻しホイール２２は、図１に最も良く図示するように、その周縁に配置された複数の鋸歯状部分２２ｂを有する外側リング２２ａを備えている。これらの鋸歯状部分２２ｂは、フィルム巻き戻しホイール２２から伸びており、カメラのユーザが鋸歯状部分に係合し且つ巻き戻しホイール２２を回転させてフィルムをフィルムカセット内に移動させることができるようにする。
【００２４】
外側リング２２ａよりも小さい直径であることが好ましい内側リング２２ｃが巻き戻しホイール２２に取り付けられ又は該巻き戻しホイール２２と一体に形成されている。このことは図９の立面図に最も良く図示されている。内側リング２２ｃは、巻き戻しホイール２２と共に回転する。内側リング２２ｃはまた、鋸歯状部分２６も有している。以下に説明するように、鋸歯状部分２６には、カメラのレバーが係合してカメラのユーザが誤って巻き戻しホイール２２を望まない方向に回すのを阻止する。
【００２５】
図８及び図９に最も良く図示するように、複数の切欠き３０が、巻き戻しホイール２２から下方に伸びている。切欠き３０には、巻き戻しホイール２２を一体に形成することができる。切欠き３０は、図６に図示するように内側リング２２ｃの直径内にある。以下に詳細に説明するように、切欠き３０には、カメラのレバーが係合して、巻き戻しホイール２２が望まない方向に移動するのを阻止することができる。
【００２６】
カメラの底部及びカメラの反対側部には、図５に最も良く図示したフィルム前進レバー２３が配置されている。フィルム前進レバー２３は、フィルムスプール１３に接続され、フィルム前進レバー２３の回転がフィルムスプール１３を回転させるようにしてある。前進レバー２３を回転させてフィルム４をフィルムカセット１１から引き出し且つフィルム４をフィルムスプール１３の周りに巻く。前進レバー２３は、その回転がフィルムスプール１３を回転させない不作動位置に回転させ且つ前進レバー２３の回転がフィルムスプール１３を回転させる作動可能位置に回転させることができる。このことは図５を参照することで最も良く理解されよう。アーム２３ａを前進レバー２３外に回転させることにより、前進レバーが作動され、その回転はフィルムスプール１３を回転させる。
【００２７】
図１及び図６乃至図８に図示するように、フィルム阻止フィルムレバー３２がカメラ１０に回転可能に取り付けられている。フィルム阻止レバー３２は、図６乃至図８を参照して最も良く理解されるように、巻き戻しホイール２２の鋸歯上部分２６と相互に接続し得る鉤形状とされた第一の端部３４を有している。フィルム阻止レバー３２は、第二の端部３６を有しており、図２に図示するように、垂直ポスト３８が該第二の端部３６から伸びている。このポスト３８は、図６乃至図８に図示するように、ばね４２の開口部４０内に伸びている。ばね４２は板ばねであることが好ましく、図１、図２及び図６乃至図８に図示されている。
【００２８】
制御レバー４４がカメラ１０に摺動可能に取り付けられ且つばね４２によりフィルム阻止レバー３２に接続されている。ばね４２がポスト４４ａ及び穴４２ａにより制御レバー４４に取り付けられており、制御レバー４４が摺動するとき、ばね４２は制御レバー４４と共に摺動する。ばね４２の動きがポスト３８を押すことによりフィルム阻止レバー３２を回転させる。この機械的な接続を通じて、制御レバー４４は、フィルム阻止レバー３２の移動及びフィルム阻止レバー３２とフィルム巻き戻しホイールの鋸歯状部分２６との係合を制御する。制御レバー４４は、巻き戻しホイールの内側リング２８の切欠き３０と相互に接続する鉤状端部４６を有している。
【００２９】
図６乃至図８に図示した偏倚ばね４８がカメラ１０内に取り付けられ且つ制御レバー４４に取り付けられている。このばね４８が制御レバー４４を偏倚して図６乃至図８に図示するように、右方向に移動させる。図示した実施の形態において、偏倚ばね４８はヘリカルばねである。
【００３０】
上述したように、裏蓋１４は、フィルムに向けて内方に伸びる複数の突出部１６、１８、２０を有している。これら突出部１６の１つは、図６乃至図８を参照することで最も良く理解し得るように、ばね４２に近接して配置されている。以下に説明するように、制御レバー４４が阻止レバー３２を回転させてフィルム巻き戻しホイールの鋸歯状部分２６と係合させた後、この突出部１６は、ばね４２と協働してばね４２、制御レバー４４及び阻止レバー３２を所要位置に保持する。
【００３１】
フィルム前進インターロック装置の作動
フィルム前進インターロック装置は、カメラのユーザが誤ってフィルム巻き戻しホイール２２を前進方向に操作し又はフィルムを図６乃至図８に見たとき時計回り方向であるフィルムカセットから離れる方向に移動させるのを阻止する。このことは、カメラのユーザが巻き戻しホイールを前進方向に不適切に回転させようとするのを阻止するために必要とされる。フィルム前進インターロック装置が無いならば、カメラのユーザは露出済みのフィルムをフィルムカセット内に移動させようとして巻き戻しホイールを前進方向に向けて時計回り方向に回すことができる。かかる不適切な回転は、フィルムをフィルムカセット外に前進方向に移動させ又はフィルムを全く移動させない。このように、フィルム前進インターロック装置は、カメラのユーザが巻き戻しホイール２２を前進方向に回転させ、これにより露出済みのフィルムをフィルムカセット内に移動させ且つ露出させるべきフィルムの次のフレームをフィルム露出領域に動かしたと自分自身、錯覚するのを阻止する。
【００３２】
前進インターロック装置は、次のように作動する。フィルムカセットがカメラのフィルムカセット区画室１１内に装填されたとき、図４に図示するようにフィルムリーダをフィルムスプール１３の周りに巻き且つフィルム露出領域１２内に配置する。次に、カメラの裏蓋１４を閉じることにより、カメラを光封止する。このことは、カメラを図６の蓋が開いた位置から図７及び図８の蓋が閉じた位置まで移動させることになる。フィルムを予備装填するため、カメラのユーザ又はカメラの製造メーカは、前進レバー２３を作動可能位置に配置し且つ前進レバー２３を回してフィルムスプール１３を回転させ、また、フィルムをフィルム露出領域を亙り且つフィルムスプール１３の周りでフィルムカセット２から引き出す。フィルムが完全に前進し又はプレワインドされたならば、露出すべきフィルムの最初のフレームがフィルム露出領域内に配置される。
【００３３】
カメラ１０で写真を撮った後、カメラのユーザは、フィルム巻き戻しホイール２２を図６乃至図８に見て反時計回り方向に回転させ、露出済みのフィルムをフィルムカセット２に内に巻き戻し且つフィルムの次のフレームをフィルム露出領域内に移動させる。フィルム巻き戻しホイール２２が反時計回り方向に回転されると、巻き戻しホイールの切欠き３０が制御レバーの鉤状部４６に接触し且つ制御レバー４４をばね４８の偏倚力に抗して図７の位置から図７Ａの位置まで左方向に向けて押す。
【００３４】
ばね４２は、制御レバー４４に取り付けられているため、ばね４２はまた、制御レバー４４と共に図６の位置から図７Ａの位置まで左方向に移動する。ばね４２が左方向に移動すると、ばね４２は、阻止レバーのポスト３８を押し且つ阻止レバー３２をその鉤付き端部３４が図７Ａに図示するように、フィルムホイールの鋸歯状部分２６に係合する迄、図６、図７、図７Ａ、図８に図示したように反時計回り方向に回転させる。このことは、フィルム前進インターロック装置を設定することになる。フィルムホイールの鋸歯状部分２６と係合したならば、巻き戻しホイール２６は、時計回り方向に回転させることができないが、依然として巻き戻し方向に向けて反時計回り方向に回転させることができる。このことは、図７Ａを参照することで最も良く理解される。このように、フィルムは巻き戻すことしかできず、カメラのユーザは、巻き戻しホイール２６を誤って間違った方向に回すことが阻止される。
【００３５】
インターロック装置が無いならば、カメラのユーザは写真を撮り且つ巻き戻しホイールを誤った方向に回すことができよう。このことは、フィルムを全く移動させず又はフィルムをフィルムカセットから誤った方向に動かすことになろう。カメラのユーザは、実際には、フィルムが全く移動せず又は反対方向に移動する場合に、このように巻き戻しホイールの回転によって、露出済みのフィルムをフィルムカセット内に移動させ且つフィルムの次のフレームをフィルム露出領域に移動させたと錯覚することになろう。このようにカメラのユーザが錯覚したならば、カメラのユーザは別の写真を撮り、フィルム露出領域内に静止したままのその前に露出済みのフレームを再露出させ、このため、その前に撮った写真を駄目にすることになろう。
【００３６】
阻止レバー３２は、図７Ａに図示するように、ばね４２によってフィルム巻き戻しホイールの鋸歯状部分２６と係合した状態に保持されている。特に、ばね４２が制御レバー４４の動作によって左方向に摺動したとき（図７及び図７Ａを比較することにより最も良く理解し得るように）、ばね４２の端部４２ｂは、裏蓋の突出部１６の後方に滑り又は図７Ａに図示するように、突出部１６の左側に滑る。この突出部１６は、ばね４２、従って取り付けられた制御レバー４４が右方向に摺動して戻るのを阻止する。このことは、また阻止レバー３２が時計回り方向に回転し且つフィルムホイールの鋸歯状部分２６から非係合状態となることをも阻止する。
【００３７】
前進インターロック装置を再設定するため、裏蓋１４を開け又は除去する。裏蓋１４が開けられたとき、突出部１６は最早、ばね４２の左方向への動きを拘束せず、ばね４２及び制御レバー４４は、偏倚ばね４８の偏倚力のため右方向に摺動して図６に図示した位置に戻る。これらが右方向に移動したとき、阻止レバー３２は、時計回り方向に回転して図６の位置に戻り且つ巻き戻しホイールの鋸歯状部分２６から非係合状態となる。裏蓋１４は、通常フィルムを露出させた後にのみ除去されるため、フィルムを巻き戻し且つフィルムカセット内でフィルムを光封止し、裏蓋１４を開け且つ前進インターロック装置を再設定することは、フィルムが露出された後に行われ、その何れの場合にも、カメラから除去され、除去されつつあり又は除去される準備ができている。
【００３８】
巻き戻しインターロック装置
図１及び図６乃至図８に図示するように、インターロックレバー５０がカメラに回転可能に取り付けられている。インターロックレバー５０は、３つのアーム５２、５４、５６を有することが好ましい。第一のアーム５２は制御レバー４４に係合し、第二のアーム５４は内側リングの切欠き３０に係合し、第三のアーム５６はカム５８及び再設定レバー６０の双方に係合する。
【００３９】
再設定レバー６０は、図１に図示するように、２つのスタッド５９又はリベットによってカメラ１０に取り付けられている。再設定レバー６０は、裏蓋１４が閉じられたとき、裏蓋の突出部１８が係合可能である第一のアーム６０ａを有している。再設定レバー６０は、インターロックレバーの第三のアーム５６に係合する第二のアーム６０ｂを有している。再設定レバー６０はまた、平坦部分６０ｃを有しており、以下に説明する駆動歯車６８が該平坦部分を通って伸びている。図１に図示するように、第一のアーム６０ａ、平坦部分６０ｃ及び第二のアーム６０ｂは、再設定レバー６０の曲がった部分上にある。再設定レバー６０は金属製であり且つ図６に図示するように、反時計回り方向に回転するように偏倚されている。
【００４０】
裏蓋１４が閉じられたとき、突出部１８は第一の再設定アーム６０ａを押し且つ再設定レバー６０を回転させる。再設定レバーは回転し、第二のアーム６０ｂは、インターロックレバー５０の第三のアーム６０ｂに接触してインターロックレバー５０を回転させ内側リングの切欠き３０の経路に入れ、巻き戻しホイール２２の反時計回り方向すなわち巻き戻し方向への回転が阻止される。
【００４１】
図８に図示するように、スプロケット６４もカメラに回転可能に取り付けられている。スプロケット６４は、フィルム経路内に且つ図４に図示するように、フィルムの穴を通って伸びる歯を有している。このように、フィルムがフィルム経路に沿って移動するとき、スプロケット６４は、フィルムが前進方向に移動するとき時計回り方向に回転し且つフィルムが巻き戻し方向に移動するとき反時計回り方向に回転するように駆動される。
【００４２】
カウントホイール６６、駆動歯車６８及びカム５８がカメラ１０に同様に回転可能に取り付けられている。駆動歯車６８は、図９に図示するように、スプロケット６４に接続され、スプロケット６４が回転すると、駆動歯車６８が駆動されて回転するようにする。駆動歯車６８の頂部にはカウントホイール６６が係合しこのため、駆動歯車６８が回転するとカウントホイール６６が回転する。この係合は、再設定レバー６０が突出部１８の押圧力に起因して回転するときに生じる。上蓋１４が開けられたとき、駆動歯車は図６に図示するように、カウントホイール６６と係合していない。蓋が閉じられ、駆動歯車６８が再設定レバー６０によって押されて図７に図示するようにカウントホイール６６と係合する。スプロケット６４、駆動歯車６８及びカウントホイール６６は、フィルムのカウントすなわち計測量送りを実現する。カウントホイールは、その軸の周り及びホイールの底側部のカラーに対して配置されたヘリカルばねによって零位置にばね偏倚されており、このため、ホイールが駆動歯車と係合しないとき−フィルムを除去するため裏蓋が開けられたとき、ホイールは零位置に戻る。カウントホイール６６と同一の軸には、カム５８が取り付けられている。このように、カム５８が駆動歯車６８を駆動するスプロケット６４の回転に応答してカウントホイール６６と共に回転する。カム５８はまた裏蓋が開けられたとき、カウントホイールのばねに応答しても回転する。
【００４３】
巻き戻しインターロック装置の作動
巻き戻しインターロック装置の機能は、フィルムを予備装填する間、巻き戻しホイールが巻き戻し方向に回転するのを阻止することである。巻き戻しインターロック装置は、巻き戻しホイールの回転を阻止する。巻き戻しインターロック装置が無いならば、カメラのユーザはフィルムを予備装填し且つフィルムをフィルムスプールまで前進させようとするとき、巻き戻しホイールを反時計回り方向すなわち巻き戻し方向に不適切に回す可能性がある。この不適切な回転は、フィルムをフィルムカセットから移動させず、カメラのユーザはフィルムを予備装填したものと錯覚する可能性がある。巻き戻しインターロック装置が存在するならば、カメラのユーザは、巻き戻しホイールを巻き戻し方向に回すことができないため、巻き戻しホイールを巻き戻し方向に回すことはフィルムを装填するのに適切な方法ではないと知ることになろう。
【００４４】
巻き戻しインターロック装置の作動は次の通りである。フィルムがフィルムカートリッジから前進され且つ裏蓋１４が開けられたとき、インターロックレバー５０は時計回り方向に回転し、第二のアーム５４が内側リングの切欠き３０の経路外となり、第一のアーム５２は、図６に図示するように制御レバー４４から非係合状態となる。フィルムカセットを装填した後、裏蓋１４を閉じ、突出部１８は図７に図示するように、再設定レバー６０の第一のアーム６０ａに係合する。このことは、再設定レバー６０を時計回り方向に回転させ、再設定レバー６０の第二のアーム６０ｂがインターロックレバー５０の第三のアーム５６を押すことになる。このことは、インターロックレバー５０を図６の位置から図７の位置まで時計回り方向に回転させる。時計回り方向に回転したとき、インターロックレバー５０の第二のアーム５４が巻き戻しホイールの切欠き３０の経路内に回転し、第一のアーム５２が回転して制御レバー４４と係合する。第三のアーム５６の鉤付き端部５６ａは、制御レバー４４のキャビティ４４ｂ内に回転する。
【００４５】
第二のアーム５４は、切欠きの経路内にあるため、巻き戻しホイール２２は反時計回り方向すなわちフィルムの前進方向に回転させることができない。このことは、巻き戻しインターロック状態である。巻き戻しホイール２２が反時計回り方向に回転されたならば、切欠き３０は第二のアーム５４に接触し且つ更に回転することが阻止されよう。
【００４６】
巻き戻しインターロック装置５０は、カメラの操作者がフィルムをフィルムカセットから前進させ且つフィルムスプールの周りに予備装填することを必要とするとき、巻き戻しホイール２２を反時計回り方向すなわち巻き戻し方向に動かすのを阻止する。このように、操作者はフィルムカセットを挿入し且つ巻き戻しホイールを誤って巻き戻し方向に操作することを阻止する。インターロック装置が無いならば、カメラのユーザがフィルムカセットを装填し、次に、フィルムを予備装填するものと考えて巻き戻しホイールを前進方向に回転させることができる。このように、インターロック装置が無いならば、操作者は、巻き戻しホイール２６を誤って巻き戻し方向に回転させ、フィルムを予備装填しないのに、予めフィルムを予備装填したと誤って確信することになろう。
【００４７】
フィルムを適正に予備装填するためには、カメラのユーザは、図４に図示するように、フィルムカセットをフィルムカセット区画室内に配置し、フィルムリーダをフィルムスプールの周りに且つフィルム露出領域内に配置する。裏蓋１４は閉じられて、上述したように巻き戻しインターロック装置を作動可能にする。次に、カメラのユーザは、フィルム前進レバー２３を作動可能位置に配置し且つ前進レバー２３を回転させる。このことはフィルムスプール１３を回転させ且つフィルムをフィルムカセット１１からフィルム露出領域を亙り、またフィルムスプール１３の周りで引き出すことになる。フィルムの全てがフィルムスプールの周りに予備装填される迄、カメラのユーザは、この操作を行う。
【００４８】
カメラの操作者がフィルム前進レバー２３を前進方向に操作し、フィルムがカセットから且つフィルム露出領域を亙って引き出されると、スプロケットの歯が図４に図示するようにフィルムの穴に係合する。このフィルムの前進方向への移動によりスプロケット６４は時計回り方向に回転する。一方、スプロケット６４は、駆動歯車６８を反時計回り方向に回転させ、このことはカウントホイール６６及びカム５８を時計回り方向に回転させる。好ましい実施の形態において、約６フレームだけ十分な量のフィルムが前進し、カム５８が図７Ａに図示するように、インターロックレバー５０の第三のアーム５６と係合するのに十分に回転するように、カム５８は設定される。
【００４９】
カム５８がインターロックレバー５０に係合すると、カム５８はインターロックレバー５０を反時計回り方向に回転させる。このように、インターロックレバー５０の第二のアーム５４は、切欠きの経路外に回転し、第一のアーム５２は制御レバー４４から非係合状態となる。このことは、巻き戻しインターロック装置を不作動にする。カメラのユーザは、巻き戻しホイール２２を巻き戻し方向に回転させ且つフィルムをフィルムカセット内に移動させて戻すことが自在となる。更に、制御レバー４４は、このとき左方向に動き、第一のアーム５２が回転して制御レバー４４と係合外れ状態となるため、前進インターロック装置を設定することができる。この前に、インターロックレバー５０と制御レバー４４とが係合することが制御レバー４４が左方向に動くのを阻止している。
【００５０】
前進インターロック装置を再設定するため、フィルムの露出分の全てが撮影され、フィルムがカセット内に巻き戻された後、裏蓋１４を開ける。裏蓋１４が開けられたとき、再設定レバー６０は最早、突出部１８によって保持されず、図７Ａに図示するように、時計回り方向に回転する。駆動歯車６８は、再設定レバー６０の回転により解放され且つ図６に図示するように、カウントホイール６６と非係合状態となるように移動する。ばね偏倚されたカウントホイールは、図７Ａに図示するように反時計回り方向にその零位置まで回転する。カム５８は、カウントホイール６６と共に図６の位置まで回転し、カム５８はインターロックレバーの経路外に回転しているため、カメラの蓋が閉まったとき、インターロックレバー５０は、再度回転自在である。
【００５１】
概要
前進インターロック装置及び巻き戻しインターロック装置という２つのカメラインターロック装置について説明した。カメラの裏蓋１４が閉じられる前に、巻き戻しホイール２２は何れの方向にも回転可能である。フィルムカセット及びフィルムリーダを装填した後、裏蓋１４が閉じられたとき、インターロックレバーは巻き戻しホイールが巻き戻し方向に回転するのを阻止する。十分な量のフィルムが予備装填された後、この巻き戻しインターロック装置は不作動とされる。フィルムをフィルムカセット内に巻き戻したとき、阻止レバーは、巻き戻しホイール２２に係合し、前進インターロック装置が巻き戻しホイール２２の時計回り方向への回転を阻止するようにする。裏蓋１４が開けられた後、この前進インターロック装置は不作動とされる。
【００５２】
巻き戻しインターロック装置は、カメラのユーザがフィルムを前進させ又は予備装填することを必要とするとき、カメラを巻き戻し方向に操作することを阻止し、巻き戻しインターロック装置は、フィルムが露出された後、カメラを前進方向に操作するのを阻止する。これらのインターロック装置を共に又は別個に使用することができる。更に、これらのインターロック装置は、色々な型式のカメラにて使用することができるが、これらのインターロック装置は、再使用型又は１回限り使用型の何れかの手動の３５ｍｍカメラにて使用されることが好ましい。
【００５３】
しかし、本発明の構造及び機能の詳細と共に、本発明の多数の特徴及び有利な点を上記の説明にて記載したが、この開示は単に一例であり、特に、特許請求の範囲が表現される広い全体的な用語の意味に含まれる全範囲に亙って本発明の原理の範囲内にて部品の形状、寸法及び配置の点にて細部に変更を加えることが可能であることが理解されよう。
【図面の簡単な説明】
【図１】
カメラの前蓋が除去された、本発明の１つの好ましい実施の形態によるカメラの一部分の斜視図である。
【図２】
図１のカメラの特定部分の組立図である。
【図３】
フィルムカセット区画室、フィルム露出領域及びフィルムスプールを示す、図１のカメラの概略図である。
【図４】
カメラ内に装填されたフィルムを示す、図１のカメラの概略図である。
【図５】
図１のカメラの底部におけるフィルム前進レバーの斜視図である。
【図６】
裏蓋が開いた、図１のカメラの頂面ワイヤーフレーム図である。
【図７】
裏蓋が閉じられた、図１のカメラの頂面ワイヤーフレーム図である。
７Ａは、裏蓋が閉じられ、フィルム巻き戻しホイールが前進方向に回転するのが阻止された図１のカメラの頂面ワイヤーフレーム図である。
【図８】
裏蓋が閉じられた、図１のカメラの一部分の頂面図である。
【図９】
図１のカメラの一部分の立面図である。
【国際公開パンフレット】
2004507776.tif 000003
2004507776.tif 000004
2004507776.tif 000005
2004507776.tif 000006
2004507776.tif 000007
2004507776.tif 000008
2004507776.tif 000009
2004507776.tif 000010
2004507776.tif 000011
2004507776.tif 000012
2004507776.tif 000013
2004507776.tif 000014
2004507776.tif 000015
2004507776.tif 000016
2004507776.tif 000017
2004507776.tif 000018
2004507776.tif 000019
2004507776.tif 000020
2004507776.tif 000021
2004507776.tif 000022
2004507776.tif 000023
2004507776.tif 000024
2004507776.tif 000025
2004507776.tif 000026
2004507776.tif 000027
2004507776.tif 000028
2004507776.tif 000029
2004507776.tif 000030
2004507776.tif 000031
【国際公開パンフレット（コレクトバージョン）】
2004507776.tif 000032
2004507776.tif 000033
【国際公開パンフレット（コレクトバージョン）】
2004507776.tif 000034
2004507776.tif 000035
2004507776.tif 000036
2004507776.tif 000037
2004507776.tif 000038
2004507776.tif 000039
2004507776.tif 000040
2004507776.tif 000041
2004507776.tif 000042
2004507776.tif 000043
2004507776.tif 000044
2004507776.tif 000045
2004507776.tif 000046
2004507776.tif 000047
2004507776.tif 000048
2004507776.tif 000049
2004507776.tif 000050
2004507776.tif 000051
2004507776.tif 000052
2004507776.tif 000053
2004507776.tif 000054
2004507776.tif 000055
2004507776.tif 000056
2004507776.tif 000057
2004507776.tif 000058
2004507776.tif 000059
2004507776.tif 000060
2004507776.tif 000061
2004507776.tif 000062
【国際調査報告】
2004507776.tif 000063
2004507776.tif 000064